(57)【要約】【課題】  照明光の照射領域を撮影領域に対応させることのできる照明装置を提案する。【解決手段】  光源（２−３）と、光源よりも光照射側に配置された光学部材（２−１８）と、光学部材からの光の照射方向を変更するよう光学部材を可動とする機構（２−１９、２−２１）とを有する。【選択図】  図１
2006065225.tif 000002
【特許請求の範囲】
【請求項１】
光源と、
該光源よりも光照射側に配置された光学部材と、
該光学部材からの光の照射方向の光軸を変更するよう前記光学部材を可動とする機構とを有することを特徴とする照明装置。
【請求項２】
前記機構は、前記光学部材を回転可能とする機構であることを特徴とする請求項１に記載の照明装置。
【請求項３】
前記光学部材は、特定の径方向における厚みが一定でないことを特徴とする請求項２に記載の照明装置。
【請求項４】
前記光学部材は、特定の径方向における一端側から他端側にかけて厚みが単調に変化することを特徴とする請求項３に記載の照明装置。
【請求項５】
前記光源からの光に対して照射方向の光軸の変更作用が合成される複数の前記光学部材を有し、
前記機構は前記複数の光学部材を相対的に可動とする機構であることを特徴とする請求項１から４のいずれか１つに記載の照明装置。
【請求項６】
前記機構を駆動するアクチュエータと、
被照明物体までの距離情報に応じて前記アクチュエータを制御する制御手段とを有することを特徴とする請求項１から５のいずれか１つに記載の照明装置。
【請求項７】
請求項１から６のいずれか１つに記載の照明装置と、
該照明装置により照明された被写体を撮影する撮影装置とを有することを特徴とする撮影システム。
【発明の詳細な説明】
【技術分野】
【０００１】
本発明は、光の照射方向を変更可能な照明装置に関するものである。
【背景技術】
【０００２】
従来の照明装置の構成について、図１０を用いて説明する（例えば、特許文献１参照）。図１０において、照明装置１０２のシューベース１０２−６は、カメラ１０１のアクセサリシュー１０１−１に装着可能となっている。そして、照明装置１０２がカメラ１０１に装着された状態において、照明装置１０２側の接点１０２−７、１０２−８は、カメラ１０１側の接点１０１−２、１０１−３に接触する。これにより、カメラ１０１内の電源からの電圧が、照明装置１０２内のケーブル１０２−４、１０２−５を介してランプ１０２−３に供給され、ランプ１０２−３が点灯する。反射傘１０２−２は、ランプ１０２−３から照射された光を、レンズ１０２−２４側に反射させる。ランプ１０２−３からの光は、照明装置１０２の外装部材１０２−１に固定されたレンズ１０２−２４を透過して、照明装置１０２外に照射される。
【０００３】
上述した構成の照明装置１０２は、図１１に示すように照明装置１０２から照射される照明光の照射光軸ｌがカメラ１０１内の撮影レンズ１０１ａの撮影光軸ｋと特定の位置で交差するように、カメラ１０１に対して傾けて取り付けられている。
【特許文献１】特開２００３−２９８９３０号公報（段落番号００１２、００１３、図１等）
【発明の開示】
【発明が解決しようとする課題】
【０００４】
上述した構成では、カメラ１０１内に設けられた撮影レンズ１０１ａの位置と照明装置１０２の位置とが違うためにパララックスが生じ、被写体距離によっては撮影領域内における撮影光軸の位置と照射光軸の位置とがずれてしまう。
【０００５】
すなわち、図１１に示すように、被写体がカメラ１０１（撮影レンズ１０１ａ）の前面から距離ｕの位置にあるときには、撮影領域内における撮影光軸ｋの位置と照射光軸ｌの位置との間にずれｗが生じる。この場合には、撮影領域内のうち図１１中下側の領域に対して照明光が偏って照射されてしまう。
【０００６】
また、被写体がカメラ１０１の前面から距離ｔの位置にあるときには、撮影領域内における撮影光軸ｋの位置と照射光軸ｌの位置との間にずれｖが生じる。この場合には、撮影領域内のうち図１１中上側の領域に対して照明光が偏って照射されてしまう。
【０００７】
このように撮影領域内で照明光が偏って照射されてしまうと、照明光が照射されていない領域において明るさ（輝度）が不足し、良好な撮影画像を得ることができない。
【０００８】
ここで、上述した被写体距離に応じて発生する輝度の低下を抑制するために、照明光の照射領域（照射角度）を広げること等が考えられるが、この場合には、撮影に必要のない領域まで照明光が照射され、照明光を効率良く利用することができない。
【０００９】
そこで、本発明の目的は、光の照射領域を撮影領域に対応させることのできる照明装置を提供することにある。
【課題を解決するための手段】
【００１０】
本発明の照明装置は、光源と、該光源よりも光照射側に配置された光学部材と、該光学部材からの光の照射方向の光軸を変更するよう前記光学部材を可動とする機構とを有することを特徴とする。
【発明の効果】
【００１１】
本発明によれば、光学部材を可動させて光の照射方向の光軸を変更させることで、特定の領域に対して光を照射させることができる。
【発明を実施するための最良の形態】
【００１２】
以下、本発明の実施例について説明する。
【実施例１】
【００１３】
本発明の実施例１である照明装置について、以下図面を参照しながら説明する。本実施例の照明装置は、図２に示すようにカメラ１に対して着脱可能に装着される。具体的には、図１（Ａ）に示すように、照明装置２に設けられたシューベース２−６を、カメラ１の上面に設けられたアクセサリシュー１−１に対して装着できるようになっている。
【００１４】
照明装置２をカメラ１に装着した状態において、カメラ１の外装部材１−４及びアクセサリシュー１−１に設けられた第１及び第２の接点１−２、１−３（一方は−接点、他方の＋接点）は、シューベース２−６に設けられた第３及び第４の接点２−７、２−８（一方は−接点、他方は＋接点）に接触する。
【００１５】
第３の接点２−７及びランプ２−３はケーブル２−４を介して接続されており、第４の接点２−８及びランプ２−３はケーブル２−５を介して接続されている。
【００１６】
このように第１及び第２の接点１−２、１−３及び第３及び第４の接点２−７、２−８が接触している状態においては、カメラ１内に設けられた電源（不図示）からの電圧がランプ２−３に供給され、ランプ２−３が点灯するようになる。
【００１７】
ランプ２−３の周囲には反射傘２−２が設けられており、反射傘２−２はランプ２−３から照射された光のうち一部の成分を反射させて、後述するレンズ２−１８に導く。ここで、反射傘２−２は、ランプ２−３から照射された光を、レンズ２−１８に効率良く（光量損失が概ね無い状態で）導くことができるような形状に形成されている。
【００１８】
ランプ２−３に対して光照射方向にはレンズ２−１８が配置されており、レンズ２−１８の入射面２−１８ａには、ランプ２−３から照射された光が直接入射されるとともに、反射傘２−２で反射した光が入射する。入射面２−１８ａは、図１（Ａ）に示すように、入射面２−１８ａに入射するランプ２−３の照射光軸に対して所定の角度を持った状態で傾斜しており、入射面２−１８ａに入射する光を屈折させる。
【００１９】
そして、入射面２−１８ａに入射したランプ２−３からの光は、レンズ２−１８の射出面２−１８ｂから射出して、被写体側に向かう。ここで、射出面２−１８ｂは、入射面２−１８ａに入射する前の照射光軸に対して略直交する面で構成されている。
【００２０】
レンズ２−１８に、上述した入射面２−１８ａ及び射出面２−１８ｂを形成することで、レンズ２−１８の厚み（照射光軸方向の長さ）は、図１（Ａ）に示すように、一端側から他端側にかけて連続的に増加又は減少するようになっている。
【００２１】
レンズ２−１８の外周にはフランジ部２−１９が形成されており、フランジ部２−１９は、照明装置２の外装部材２−１に形成された第１の溝部２−２１に係合している。また、フランジ部２−１９の外周のうち一部の領域には、突起部２−２０が形成されている。本実施例のレンズ２−１８では、突起部２−２０が形成されている側が最も厚みが薄くなるように形成されている。
【００２２】
突起部２−２０は、図１（Ｂ）に示すように、第１の溝部２−２１の底面のうち周方向２箇所に１８０度の角度間隔をおいて形成された第２の溝部２−２２及び第３の溝部２−２３に係合可能となっている。すなわち、レンズ２−１８は、フランジ部２−１９を介して、第１の溝部２−２１に回転可能な状態で係合しており、レンズ２−１８を回転させることで、突起部２−２０を第２の溝部２−２２及び第３の溝部２−２３のうち一方に係合させることができる。ここで、図１（Ｂ）は、図１（Ａ）におけるＡ−Ａ断面図を示す。
【００２３】
上述した構成の照明装置２において、レンズ２−１８の突起部２−２０を、第２の溝部２−２２に係合させたり、第３の溝部２−２３に係合させたりすることで、照明装置２から照射される光の方向を変更することができる。ここで、突起部２−２０が、第２の溝部２−２２又は第３の溝部２−２３に係合している状態において、レンズ２―１８を回転させると、突起部２−２０が弾性変形することで、第２の溝部２−２２又は第３の溝部２−２３から外れることになる。そして、突起部２−２０が第２の溝部２−２２又は第３の溝部２−２３の位置まで移動すると、第２の溝部２−２２又は第３の溝部２−２３に係合することになる。
【００２４】
図２は、照射方向を変更したときの状態を示す図である。
【００２５】
図２において、ｒは従来の照明装置で照射される照明光の照射光軸を示す。ｓ及びｑは本実施例の照明装置で照射される照明光の光軸を示す。レンズ２−１８が図１（Ａ）に示す状態にあるとき、すなわち、レンズ２−１８の突起部２−２０が第２の溝部２−２２に係合している状態にあるとき、照明装置２から照射される照明光は、光軸ｑを持つ光となる。このようにレンズ２−１８の厚みが撮影光軸ｋ側で最も厚くなるようにレンズ２−１８の回転位置を設定すると、撮影光軸ｋに対する照射光軸ｑの傾き角度を従来の照射光軸ｒでの傾き角度に比べて角度αの分だけ大きくすることができる。
【００２６】
この場合には、図２に示すように、撮影光軸ｋ及び照射光軸ｑは、撮影光軸ｋ及び照射光軸ｒの交点よりも撮影レンズ１ａ側となり、カメラ１に対して所定の距離（撮影光軸ｋ及び照射光軸ｒの交点に対応した距離）よりも近くに位置する被写体に対して適切に照明光を照射させることができる。
【００２７】
一方、レンズ２−１８の突起部２−２０が第２の溝部２−２３に係合しているときには、照明装置２から照射される照明光は、光軸ｓを持つ光となる。レンズ２−１８の厚みが撮影光軸ｋから離れるにつれて厚くなるようにレンズ２−１８の回転位置を設定すると、撮影光軸ｋに対する照射光軸ｓの角度を従来の照射光軸ｋでの角度に比べて角度αの分だけ小さくすることができる。
【００２８】
この場合には、図２に示すように、撮影光軸ｋ及び照射光軸ｓの交点は、撮影光軸ｋ及び照射光軸ｒの交点よりも物体側（撮影レンズ側とは反対側）となり、カメラ１に対して所定の距離よりも遠くに位置する被写体に対して適切に照明光を照射させることができる。
【００２９】
上述したように本実施例によれば、レンズ２−１８の回転位置を選択することにより、すなわち、突起部２−２０を第２の溝部２−２２又は第３の溝部２−２３に係合させることにより、照明装置２の照明光の照射方向（上記照明光の光軸の向き）を変更することができる。
【００３０】
これにより、被写体距離に応じてレンズ２−１８の回転位置を適宜変更するようにすれば、カメラ１に対して近距離に位置する被写体や遠距離に位置する被写体に対して適切に照明光を照射させることができる。すなわち、照明光の照射領域と撮影領域とを概ね一致させることができる。しかも、照明光の照射領域を広げる必要もないため、撮影領域以外の領域に照明光を照射させることもなくなり、照明装置２からの照明光を効率良く利用することができる。
【００３１】
なお、レンズ２−１８の入射面２−１８ａ及び射出面２−１８ｂの構成を逆の構成としてもよい。すなわち、レンズ２−１８の入射面を、該入射面に入射する照射光軸に対して略直交する面とし、レンズ２−１８の射出面を、上記照射光軸に対して傾斜する面とすることができる。
【００３２】
また、レンズ２−１８は、手動によって回転させるように構成してもよいし、アクチュエータの駆動力を用いて回転させるように構成してもよい。
【００３３】
レンズ２―１８を手動で回転させる場合には、例えば、レンズ２−１８にレバー部材を連結させ、該レバー部材を操作することでレンズ２−１８を回転させる構成とすることができる。また、アクチュエータの駆動力を用いてレンズ２−１８を回転させる場合には、アクチュエータ及びレンズ２−１８を、ギアを介して連結し、アクチュエータの駆動力をレンズ２−１８に伝達させることで、レンズ２−１８を回転させる構成とすることができる。
【実施例２】
【００３４】
次に、本発明の実施例２である照明装置について、以下図面を参照しながら説明する。図３に示すように、照明装置２１に設けられたシューベース２１−６は、カメラ１のアクセサリシュー１−１に対して装着できるようになっている。照明装置２１をカメラ１に装着した状態において、カメラ１の外装部材１−４及びアクセサリシュー１−１に設けられた第１及び第２の接点１−２、１−３（一方は−接点、他方の＋接点）は、シューベース２１−６に設けられた第３及び第４の接点２１−７、２１−８（一方は−接点、他方は＋接点）に接触する。
【００３５】
第３の接点２１−７及びランプ２１−３はケーブル２１−４を介して接続されており、第４の接点２１−８及びランプ２１−３はケーブル２１−５を介して接続されている。第１及び第２の接点１−２、１−３及び第３及び第４の接点２１−７、２１−８が接触している状態では、カメラ１内に設けられた電源（不図示）からの電圧がランプ２１−３に供給され、ランプ２１−３が点灯するようになる。
【００３６】
反射傘２１−２は、実施例１の反射傘と同様に、ランプ２１−３から照射された光のうち一部の成分を反射させて、後述する第１のレンズ２１−９に導く。
【００３７】
ランプ２１−３に対して光照射方向には第１のレンズ２１−９が配置されており、第１のレンズ２１−９の入射面２１−９ａには、ランプ２１−３から照射された光が直接入射されるとともに、反射傘２１−２で反射した光が入射する。入射面２１−９ａは、図３に示すように、入射面２１−９ａに入射するランプ２１−３の照射光軸に対して所定の角度を持った状態で傾斜しており、入射面２１−９ａに入射する光を屈折させる。
【００３８】
そして、入射面２１−９ａに入射したランプ２１−３からの光は、第１のレンズ２１−９の射出面２１−９ｂから射出する。ここで、射出面２１−９ｂは、入射面２１−９ａに入射する前の照射光軸と略直交する面で構成されている。
【００３９】
第１のレンズ２１−９に、上述した入射面２１−９ａ及び射出面２１−９ｂを形成することで、レンズ２１−９の厚み（照射光軸方向の長さ）は、図３に示すように、一端側から他端側にかけて連続的に増加又は減少するようになっている。
【００４０】
第１のレンズ２１−９の外周にはフランジ部２１−１０が形成されている。第１のレンズ２１−９は、フランジ部２１−１０の側面が照明装置２１の外装部材２１−１に形成された第１の溝部２１−１８に当接することで、照射光軸方向で位置決めされている。また、第１のレンズ２１−９は、第１の溝部２１−１８に対して回転可能となっている。
【００４１】
フランジ部２１−１０の先端にはギア部２１−１０ａが形成されており、ギア部２１−１０ａは第１のギア２１−１７と噛み合っている。
【００４２】
一方、第１のレンズ２１−９に対して光照射方向には第２のレンズ２１−１１が配置されており、第２のレンズ２１−１１の入射面２１−１１ａには、第１のレンズ２１−９の射出面２１−９ｂから射出した光が入射する。入射面２１−１１ａは、図３に示すように、入射面２１−９ａに入射する前のランプ２１−３の照射光軸に対して略直交する面で構成されている。
【００４３】
そして、入射面２１−１１ａに入射した照明光は、第２のレンズ２１−１１の射出面２１−１１ｂから射出する。ここで、射出面２１−１１ｂは、入射面２１−９ａに入射する前の照射光軸に対して所定の角度を持った状態で傾斜しており、入射面２１−１１ａからの光を屈折させる。
【００４４】
第２のレンズ２１−１１に、上述した入射面２１−１１ａ及び射出面２１−１１ｂを形成することで、第２のレンズ２１−１１の厚み（照射光軸方向の長さ）は、図３に示すように、一端側から他端側にかけて連続的に増加又は減少するようになっている。
【００４５】
第２のレンズ２１−１１の外周にはフランジ部２１−１２が形成されている。第２のレンズ２１−１１は、フランジ部２１−１１の側面が外装部材２１−１に形成された第２の溝部２１−１９に当接することで、照射方向で位置決めされている。また、第２のレンズ２１−１１は、第２の溝部２１−１９に対して回転可能となっている。
【００４６】
フランジ部２１−１２の先端にはギア部２１−１２ａが形成されており、ギア部２１−１２ａは第２のギア２１−１６と噛み合っている。
【００４７】
図４に示すように、第３のギア２１−１５は、第１のギア２１−１７及び第４のギア２１−１３と噛み合っている。また、第４のギア２１−１３は、第２のギア２１−１６と噛み合っている。第４のギア２１−１３には、凸状に形成されたツマミ部２１−１４が形成されている。ツマミ部２１−１４は、図３に示すように、外装部材２１−１を貫通して照明装置２１外に突出している。
【００４８】
上述した照明装置２１の構成において、使用者がツマミ部２１−１４を図４の矢印で示す方向に回転させると、ギア２１−１３、２１−１５、２１−１６、２１−１７が図４中矢印で示す方向に回転するとともに、レンズ２１−９、２１−１１が矢印で示す方向に回転する。なお、ツマミ部２１−１４を図４の矢印で示す方向と反対方向に回転させれば、ギア２１−１３〜２１−１７及びレンズ２１−９、２１−１１が図４の矢印で示す方向と反対方向に回転することになる。
【００４９】
ここで、第１のレンズ２１−９及び第２のレンズ２１−１１は、図４（Ｂ）に示すように、互いに反対方向に回転することになる。また、第３のギア２１−１５及び第４のギア２１−１３は同じギア（径及び歯数が同じ）で構成されているとともに、第１のギア２１−１７及び第２のギア２１−１６は同じギア（径及び歯数が同じ）で構成されている。このため、ツマミ部２１−１４の回転に伴う第１のレンズ２１−９及び第２のレンズ２１−１１の回転量（回転角）は互いに等しくなっている。
【００５０】
第１のレンズ２１−９及び第２のレンズ２１−１１のそれぞれは、入射する照明光の照射光軸を角度θの分だけ屈折させる。ここで、第１のレンズ２１−９だけを用いた照明装置２１の構成において、第１のレンズ２１−９を回転させると、第１のレンズ２１−９から射出する照射光軸は、第１のレンズ２１−９に入射する照射光軸に対して角度θを持った状態で回転することになる。同様に、第２のレンズ２１−１１だけを用いた照明装置２１の構成において、第２のレンズ２１−１１を回転させると、第２のレンズ２１−１１から射出する照射光軸は、第２のレンズ２１−１１に入射する照射光軸に対して角度θを持った状態で回転することになる。
【００５１】
ここで、第１及び第２のレンズ２１−９、２１−１１から射出する照射光軸が照明装置２１の真下に位置する撮影光軸ｋ（図５参照）に向かうようにしたときの第１及び第２のレンズ２１−９、２１−１１の回転角を０度とする。このとき、ランプ２１−３から照射された照明光の照射光軸は、第１のレンズ２１−９で角度θの分だけ屈折するとともに、第２のレンズ２１−１１で角度θの分だけ屈折する。したがって、第１及び第２のレンズ２１−９、２１−１１での屈折作用によって、ランプ２１−３から照射された照明光の照射光軸は、角度２θの分だけ屈折した状態で照明装置２１（第２のレンズ２１−１１の射出面２１−１１ｂ）から射出することになる。
【００５２】
このときの照射光軸を図５中のｎで示す。ここで、図５中の照射光軸ｌは、第１及び第２のレンズ２１−９、２１−１１での屈折作用が無いときの照射光軸を示し、従来の照明装置における照射光軸に相当する。したがって、照射光軸ｎの撮影光軸ｋに対する傾き角度は、照射光軸ｌの撮影光軸ｋに対する傾き角度よりも角度２θの分だけ大きくなる。そして、照射光軸ｎ及び撮影光軸ｋの交点は、照射光軸ｌ及び撮影光軸ｋの交点よりもカメラ１側に位置することになり、カメラ１に対して所定距離（照射光軸ｌ及び撮影光軸ｋの交点に相当する距離）よりも短い距離に位置する被写体に対して照明光を照射させることができる。
【００５３】
次に、ツマミ部２１−１４を回転させることにより、上記０度となる回転位置から第１及び第２のレンズ２１−９、２１−１１を４５度回転させた場合について説明する。このとき、第１及び第２のレンズ２１−９、２１−１１は、互いに反対方向に回転する。
【００５４】
このとき、照明装置２１から照射される照明光の照射光軸は、図５に示す照射光軸ｍとなり、照射光軸ｍの撮影光軸ｋに対する傾き角度は、照射光軸ｌの撮影光軸ｋに対する傾き角度よりも角度略√２θの分だけ大きくなる。そして、照射光軸ｍ及び撮影光軸ｋの交点は、照射光軸ｌ及び撮影光軸ｋの交点よりもカメラ１側であって、且つ照射光軸ｎ及び撮影光軸ｋの交点よりもカメラ１から離れた位置となる。
【００５５】
さらに、ツマミ部２１−１４を回転させて、第１及び第２のレンズ２１−９、２１−１１の回転角を９０度にすると、第１のレンズ２１−９での屈折作用と第２のレンズ２１−１１で屈折作用が互いに相殺される。これにより、照明装置２１から照射される照明光の照射光軸は、照射光軸ｌと等しくなる。すなわち、上記状態における照射光軸の撮影光軸ｋに対する傾き角度と、照射光軸ｌの撮影光軸ｋに対する傾き角度との差は、ゼロとなる。
【００５６】
さらに、ツマミ部２１−１４を回転させて、第１及び第２のレンズ２１−９、２１−１１の回転角を１３５度にすると、上述した回転角が４５度の場合と逆の状態となり、このときに照明装置２１から照射される照明光の照射光軸は、図５に示す照射光軸Ｏとなる。
【００５７】
ここで、照射光軸Ｏの撮影光軸ｋに対する傾き角度は、照射光軸ｌの撮影光軸ｋに対する傾き角度よりも角度略√２θの分だけ小さくなる。そして、照射光軸Ｏ及び撮影光軸ｋの交点は、照射光軸ｌ及び撮影光軸ｋの交点よりもカメラ１から離れた位置となり、カメラ１に対して所定距離よりも遠い距離に位置する被写体に対して照明光を照射させることができる。
【００５８】
一方、さらにツマミ部２１−１４を回転させて、第１及び第２のレンズ２１−９、２１−１１の回転角を１８０度にすると、上述した回転角が０度の場合と逆の状態となり、このときに照明装置２１から照射される照明光の照射光軸は、図５に示す照射光軸ｐとなる。
【００５９】
ここで、照射光軸ｐの撮影光軸ｋに対する傾き角度は、照射光軸ｌの撮影光軸ｋに対する傾き角度よりも角度２θの分だけ大きくなる。そして、照射光軸ｐ及び撮影光軸ｋの交点は、照射光軸Ｏ及び撮影光軸ｋの交点よりもカメラ１から離れた位置となり、照射光軸Ｏを含む照明光が照射される被写体距離よりも遠くに位置する被写体に対して照明光を照射させることができる。図６に上述した説明をまとめたものを示す。
【００６０】
なお、上述した説明では、第１及び第２のレンズ２１−９、２１−１１の回転角を５つの場合に分けて説明したが、これらの間の回転角で第１及び第２のレンズ２１−９、２１−１１を停止させることもできる。すなわち、本実施例では、第１及び第２のレンズ２１−９、２１−１１の回転角を連続的に変化させると、照明装置２１の照射方向を連続的に変化させることができるようになっている。
【００６１】
本実施例によれば、ツマミ部２１−１４を回転させることで、照明光の照射方向（光軸）を変更できるようになっている。これにより、被写体距離に拘わらず、被写体に対して適切に照明光を照射させることができる。すなわち、照明光の照射領域を撮影領域に対応させることができる。
【実施例３】
【００６２】
次に、本発明の実施例３である照明装置について説明する。実施例２の照明装置では、ツマミ部の操作によって照明光の照射方向を変更する場合について説明したが、本実施例の照明装置では、実施例２におけるレンズ駆動機構（図４のギア２１−１３〜２１−１７、レンズ２１−９、２１−１１を含む）の構成に加えて、被写体距離に応じて自動的に照明光の照射方向を変更することができるものである。
【００６３】
図７は、本実施例の照明装置のうち、レンズを駆動する構成を示す図である。ここで、実施例２で説明した部材と同じ部材については、同一符号を用いて説明する。
【００６４】
第４のギア２１−１３には、不図示のギア列を介してアクチュエータ２１−２０が連結されており、第４のギア２１−１３はアクチュエータ２１−２０からの駆動力を受けて回転する。
【００６５】
アクチュエータ２１−２０の駆動は、照明装置２１内に設けられた制御回路（制御手段）２１−２１によって制御される。照明装置２１がカメラ１に装着されている状態において、制御回路２１−２１は、通信接点２１−２２を介して、カメラ１内に設けられた制御回路（不図示）と通信可能となっている。
【００６６】
ここで、制御回路２１−２１は、カメラ１内の制御回路から被写体距離に関する情報を取得し、該取得情報に基づいて照明光の照射方向を被写体距離に応じた照射方向とするために、アクチュエータ２１−２０の駆動を制御する。また、制御回路２１−２１は、ランプ２１−３の駆動（点灯）を制御する。以下、制御回路２１−２１の動作について、図８を用いて説明する。
【００６７】
図８のステップＳ１において、制御回路２１−２１は、カメラ１内の制御回路との通信によって被写体距離に関する情報を取得する。ここで、カメラ１においては、カメラ１に設けられた測距回路等によって被写体距離が測定されており、該測定結果である被写体距離に関する情報が制御回路２１−２１に送信される。
【００６８】
ステップＳ２において、制御回路２１−２１は、受信した被写体距離に関する情報に基づいて、アクチュエータ２１−２０の駆動量を演算する。例えば、アクチュエータ２１−２０としてステッピングモータを用いた場合には、入力するステップ数を演算する。
【００６９】
ステップＳ３において、制御回路２１−２１は、ステップＳ２での演算結果に基づいてアクチュエータ２１−２０を駆動する。これにより、第１及び第２のレンズ２１−９、２１−１１を、所定の回転角の位置で停止させることができる。
【００７０】
ステップＳ４において、制御回路２１−２１は、カメラ１内の制御回路からの制御信号に基づいて、ランプ２１−３を駆動する。これにより、被写体に対して照明光が照射されることになる。ここで、ステップＳ３での処理によって、照明装置２１から照射される照明光は、被写体距離に応じた方向で照射されるようになっており、被写体に対して適切に照明光を照射させることができる。
【００７１】
本実施例の照明装置では、被写体距離に応じて照明光の照射方向（光軸）を自動的に変更できるため、使い勝手の良い照明装置となる。
【００７２】
本実施例では、実施例２の変形例について説明したが、実施例１の構成についても適用することができる。また、本実施例では、照明装置２１内に制御回路２１−２１を設けた場合について説明したが、カメラ１内に設けられた制御回路によってアクチュエータ２１−２０の駆動制御を行うようにしてもよい。
【００７３】
一方、上述した各実施例の照明装置の構成に代えて、以下に説明するような構成を用いることもできる。
【００７４】
すなわち、図９（Ａ）に示すように、照明装置内に凸レンズ面を有するレンズ３１を配置するとともに、レンズ３１を保持する保持部材３２を配置する。ここで、保持部材３２は、レンズ３１を偏芯させる形状となっている。この構成において、保持部材３２を、照明装置の外装部材３３に対して回転させると、レンズ３１に入射する照射光軸と直交する面内におけるレンズ３１の位置を変化させることができ、照明装置の照明光の照射方向（光軸）を変化させることができる。
【００７５】
また、図９（Ｂ）に示すように、レンズ４１が照射光軸と略直交する面内で移動できるように、レンズ４１を保持する保持部材４２を、照明装置の外装部材４３に対して取り付ける。そして、レンズ４１を照射光軸と略直交する面内で移動（シフト）させれば、照明光の照射方向（光軸）を変化させることができる。
【００７６】
さらに、図９（Ｃ）に示すように、可変頂角プリズム（ＶＡＰ）５１を配置するとともに、可変頂角プリズム５１の射出面側及び入射面側に保護ガラス５２を配置する。この構成において、可変頂角プリズム５１における図中上下の幅（頂角）を変更することで、照明装置の照明光の照射方向（光軸）を変化させることができる。なお、可変頂角プリズムは、対向した２枚のガラス板と、２枚のガラス板をつなぐ蛇腹と、２枚のガラス板と蛇腹で密閉される空間を満たす高屈折率液体とで構成されている。
【図面の簡単な説明】
【００７７】
【図１】実施例１である照明装置の縦断面図（Ａ）及び（Ａ）におけるＡ−Ａ断面図（Ｂ）。
【図２】実施例１の照明装置における照明光の照射方向を示す図。
【図３】実施例２である照明装置の縦断面図。
【図４】実施例２の照明装置におけるレンズ駆動機構を示す正面図（Ａ）及び外観斜視図（Ｂ）。
【図５】実施例２の照明装置における照明光の照射方向を示す図。
【図６】実施例２の照明装置において、レンズの回転角と照明光の照射角との関係を示す図。
【図７】実施例３の照明装置内における一部の構成を示す図。
【図８】実施例３の照明装置の動作を示すフローチャート。
【図９】実施例１〜３の変形例を示す図（Ａ〜Ｃ）。
【図１０】従来の照明装置の縦断面図。
【図１１】従来の照明装置における照明光の照射方向を示す図。
【符号の説明】
【００７８】
２：照明装置
２−３：ランプ
２−１８：レンズ
２−１９：フランジ部
２−２０：突起部
２−２１：第１の溝部
２−２２：第２の溝部
２−２３：第３の溝部
【図１】
2006065225.tif 000003
【図２】
2006065225.tif 000004
【図３】
2006065225.tif 000005
【図４】
2006065225.tif 000006
【図５】
2006065225.tif 000007
【図６】
2006065225.tif 000008
【図７】
2006065225.tif 000009
【図８】
2006065225.tif 000010
【図９】
2006065225.tif 000011
【図１０】
2006065225.tif 000012
【図１１】
2006065225.tif 000013